(57)【特許請求の範囲】
【請求項１】
提供しうる最良画質が異なる複数の変調方式のうちの何れかの変調方式で変調された２以上のデジタル放送の放送信号を受信して、前記放送信号に含まれる映像及び音声を出力するための信号を生成するデジタル放送受信装置において、
受信した前記放送信号の変調方式が、それまで受信していた放送信号の変調方式から変化したことを検知する検知手段と、
この検知手段によって、変調方式の変化が検知された際に、前記複数の変調方式に対応して画質が高い順又は低い順に設定された受信状態のレベルを報知するための信号を現在の変調方式に基づいて生成し、或いは前記受信状態のレベルの変化を報知するための信号を変調方式の変化に基づいて生成し、外部へ出力する出力手段と、
を備えることを特徴とするデジタル放送受信装置。
【請求項２】
前記放送信号は、ＢＳデジタル放送における放送信号であることを特徴とする請求項１記載のデジタル放送受信装置。
【請求項３】
前記検知手段は、前記放送信号から抽出された、前記放送信号の変調方式の変更を指示する情報に基づいて前記変調方式の変化を検知することを特徴とする請求項１または２記載のデジタル放送受信装置。
【請求項４】
前記出力手段は、前記受信状態のレベルを報知するための信号或いは前記受信状態のレベルの変化を報知するための信号を前記放送信号に含まれる映像信号とともに出力することを特徴とする請求項１から３のいずれかに記載のデジタル放送受信装置。
【請求項５】
提供しうる最良画質が異なる複数の変調方式のうちの何れかの変調方式で変調された２以上のデジタル放送の放送信号を受信して、前記放送信号に含まれる映像を表示画面上に表示するテレビ受像機において、
受信した前記放送信号の変調方式が、それまで受信していた放送信号の変調方式から変化したことを検知する検知手段と、
この検知手段によって前記変調方式が変化したと検知された場合に、前記複数の変調方式に対応して画質が高い順又は低い順に設定された受信状態のレベルの案内を現在の変調方式に基づいて、或いは前記受信状態のレベルの変化の案内を変調方式の変化に基づいて前記表示画面上に表示させる表示制御手段と、
を備えることを特徴とするテレビ受像機。
【発明の詳細な説明】
【０００１】
【発明の属する技術分野】
本発明は、ＢＳデジタル放送を視聴するためのデジタル放送受信装置、及び、テレビ受像機に関する。
【０００２】
【従来の技術】
一般に、テレビ放送は、放送電波の受信状態が所定の受信強度以上で安定していないと視聴が困難である。このため、視聴できるチャンネルが限られることがあるので、受信状態を画面上に表示する装置が提案されていた。
【０００３】
例えば、特開昭６３−１７９６７０号公報には、各チャンネルの放送電波の電界強度レベルを判定し、判定結果をテレビ放送とともに画面上に表示することで、視聴可能なチャンネルをユーザに通知する装置が開示されている。
【０００４】
また、特開平４−８６１９６号公報には、放送電波の受信状態を検知し、検知結果を画面上に表示するテレビ受像機が開示されている。
【０００５】
さらに、特開平９−９１５７号公報には、ＥＤＴＶ方式の映像信号と他のビデオ信号とに対応した映像信号処理装置において、入力されているビデオ信号が、ＥＤＴＶ方式か否かをＯＳＤ（オンスクリーン・ディスプレイ）信号としてモニタへ出力する映像信号処理装置が開示されている。
【０００６】
また、実登３００９９０３号公報には、受信状態を容易に検知できるテレビ受像機が開示されている。
【０００７】
【発明が解決しようとする課題】
ところで、実用化が予定されているＢＳデジタル放送では、複数種類の変調方式が採用されることになっている。これら複数の変調方式は、放送局から衛星へ放送信号を送信する際の環境条件によって切り換えられ、伝送可能な情報量と、対応可能な条件がそれぞれ異なっている。
【０００８】
そして、ＢＳデジタル放送の変調方式が適宜切り換えられると、テレビ受像機側での画質が変化する。例えば、伝送情報量が少ない変調方式で放送が行われると、ユーザが目にする画像の画質は比較的低いものとなる。
【０００９】
従って、放送局側における変調方式の切り換えによって、ユーザ側の画質が低下したり向上したりするので、ユーザにテレビ受像機やチューナーの故障を疑わせ、不安や不快感を招く恐れがあった。特に、長時間連続して視聴していると変調方式の切り換えが起こる可能性があり、対策が必要であった。
【００１０】
本発明の課題は、デジタル放送の受信時における変調方式の状態をユーザに案内することで、快適に使用できるデジタル放送受信装置を提供することである。
【００１１】
【課題を解決するための手段】
本発明は、このような課題を解決するために、次のような特徴を備えている。なお、次に示す手段の説明中、括弧書きにより実施の形態に対応する構成を一例として示す。符号等は、後述する図面参照符号等である。
【００１２】
請求項１記載の発明は、提供しうる最良画質が異なる複数の変調方式のうちの何れかの変調方式で変調された２以上のデジタル放送の放送信号を受信して、前記放送信号に含まれる映像及び音声を出力するための信号を生成するデジタル放送受信装置（例えば、図２に示すチューナーボックス３）において、受信した前記放送信号の変調方式が、それまで受信していた放送信号の変調方式から変化したことを検知する検知手段（例えば、図３のステップＳ１〜ステップＳ５に示す処理を行うＣＰＵ３０１）と、この検知手段によって変調方式の変化が検知された際に、前記複数の変調方式に対応して画質が高い順又は低い順に設定された受信状態のレベルを報知する（例えば、図４（ａ）の「受信状態レベル１」）ための信号を現在の変調方式に基づいて生成し、或いは前記受信状態のレベルの変化を報知する（例えば、図４（ｂ）の「受信状態が下がりました」の表示）ための信号を変調方式の変化に基づいて生成し、外部へ出力する出力手段（例えば、図３のステップＳ６に示す処理を行うＣＰＵ３０１、画面処理回路３２１）とを備えることを特徴とする。
【００１３】
請求項１記載の発明によれば、デジタル放送の放送信号を受信して、前記放送信号に含まれる映像及び音声を出力するための信号を生成するデジタル放送受信装置において、放送信号が変調された際の変調方式が、それまで入力されていた放送信号の変調方式から変化したことが検知手段によって検知されると、画質の変化に対応した受信状態のレベルに関する案内表示のための信号が出力手段によってテレビ受像機等の外部装置に出力される。
【００１４】
従って、デジタル放送を受信している間に変調方式が変化して、表示画面に表示される映像の画質が変化すると、出力手段によって受信状態の良否に関する案内表示のための信号がテレビ受像機等の外部装置に出力されてユーザに通知されるので、機器の故障を疑わせることがなく、不安や不快を感じさせない。これにより、デジタル放送を長時間視聴しても、使用時の快適性を保つデジタル放送受信装置を提供できる。
【００１５】
請求項２記載の発明は、請求項１記載のデジタル放送受信装置において、
前記放送信号は、ＢＳデジタル放送における放送信号であることを特徴とする。
【００１６】
請求項２記載の発明によれば、ＢＳデジタル放送における放送信号を受信するデジタル放送受信装置であるので、ＢＰＳＫ、ＱＰＳＫ、ＴＣ８ＰＳＫの３通りの変調方式の切り換えを検知して、画質の変化に対応した受信状態のレベルに関する案内表示のための信号がテレビ受像機等の外部装置に出力され、ユーザに通知される。これにより、画質の変化が起こっても、ユーザに機器の故障を疑わせることがなく、不安や不快を感じさせないので、使用時の快適性を保つことができる。
【００１７】
請求項３記載の発明は、請求項１または２記載のデジタル放送受信装置において、
前記検知手段は、前記放送信号から抽出された、前記放送信号の変調方式の変化を示す情報（例えば、ＴＭＣＣ）をもとに前記変調方式の変化を検知することを特徴とする。
【００１８】
請求項３記載の発明によれば、検知手段は、放送信号から抽出された、放送信号の変調方式の変化を示す情報をもとに変調方式の変化を検知する。
【００１９】
従って、例えば、ＢＳデジタル放送におけるＴＭＣＣのように、変調方式の変化に伴って復調方式を変化させるための情報をもとに、変調方式の変化を検知するので、通常のデジタル放送受信装置に比べて特別な処理等を行う必要がなく、低コストで実現可能である。
【００２０】
請求項４記載の発明は、請求項１から３のいずれかに記載のデジタル放送受信装置において、前記出力手段は、前記放送信号に含まれる映像とともに、画質の変化に対応した受信状態のレベルに関する案内表示のための信号（例えば、図４（ａ）に示すレベル案内表示Ａ、及び、図４（ｂ）に示すレベル案内表示Ｂの信号）を出力させることを特徴とする。
【００２１】
請求項４記載の発明によれば、出力手段は、放送信号に含まれる映像信号とともに、画質の変化に対応した受信状態のレベルに関する案内表示のための信号を出力させるので、変調方式の変化によって画質が変化した場合に、速やかに、ユーザに変化の要因を報知することができる。従って、容易に、かつ確実に、ユーザの不安や不快を感じることを防止できる。
【００２２】
請求項５記載の発明は、提供しうる最良画質が異なる複数の変調方式のうちの何れかの変調方式で変調された２以上のデジタル放送の放送信号を受信して、前記放送信号に含まれる映像を表示画面（例えば、図５に示すディスプレイ５０２）上に表示するテレビ受像機（例えば、図５に示すチューナー内蔵テレビ受像機５）において、受信した前記放送信号の変調方式が、それまで受信していた放送信号の変調方式から変化したことを検知する検知手段（例えば、図５に示すＣＰＵ３０１）と、この検知手段によって前記変調方式が変化したと検知された場合に、前記複数の変調方式に対応して画質が高い順又は低い順に設定された受信状態のレベルの案内（例えば、図４（ａ）の「受信状態レベル１」）を現在の変調方式に基づいて、或いは前記受信状態のレベルの変化の案内（図４（ｂ）の「受信状態が下がりました」の表示）を変調方式の変化に基づいて前記表示画面上に表示させる表示制御手段（例えば、図５に示すＣＰＵ３０１）と、を備えることを特徴とする。
【００２３】
請求項５記載の発明によれば、デジタル放送の放送信号を受信して放送信号に含まれる映像を表示画面上に表示するテレビ受像機において、放送信号が変調された際の変調方式が、それまで入力されていた放送信号の変調方式から変化したことを検知手段によって検知すると、表示制御手段によって、画質の変化に対応した受信状態のレベルに関する案内を表示画面上に表示させる。
【００２４】
従って、デジタル放送の映像を表示している間に変調方式が変化して、映像の画質が変化すると、画質の変化に対応した受信状態のレベルに関する案内が表示されるので、ユーザに機器の故障を疑わせることがなく、不安や不快を感じさせない。これにより、使用時の快適性を保つテレビ受像機を提供できる。
【００２５】
【発明の実施の形態】
以下、図を参照して本発明の実施の形態を詳細に説明する。
【００２６】
〔第１の実施の形態〕
図１は、本発明の第１の実施の形態における衛星放送受信システム１の構成を示す図である。この図１に示すように、衛星放送受信システム１は、ＢＳアンテナ２、チューナーボックス３及びテレビ受像機４により構成される。
【００２７】
ＢＳアンテナ２は、所定の放送衛星に適合する角度で設置された衛星放送受信用のパラボラアンテナであり、受信した放送信号をチューナーボックス３へ出力する。
【００２８】
チューナーボックス３は、テレビ受像機４に接続されており、ＢＳアンテナ２から入力される放送信号から映像信号及び音声信号を生成して、テレビ受像機４へ出力する。
【００２９】
テレビ受像機４は、ディスプレイ４１及びスピーカー４２を備え、チューナーボックス３から入力される映像信号をもとにディスプレイ４１に画像を表示させるとともに、チューナーボックス３から入力される音声信号をもとにスピーカー４２から音声を出力させる。
【００３０】
図２は、上記衛星放送受信システム１の内部回路構成を示すブロック図である。以下、図２に基づいて衛星放送受信システム１を構成する各部について詳細に説明する。
【００３１】
チューナーボックス３は、図２に示すように、ＣＰＵ（Central Processing Unit ）３０１、メモリ３０２、Ｉ／Ｏ部３０３、入力部３０４、モデム３０５の各部を備えている。なお、本実施の形態では、これらの各部を合わせて制御系と総称し、この制御系は、後述する他の各部と、バス３０６を介して接続されている。
【００３２】
また、チューナーボックス３は、フィルタ３０７、増幅回路３０８、混合回路３０９、発振器３１０、ＰＬＬ（Phase Locked Loop ）回路３１１、ＩＱ復調回路３１２、Ａ／Ｄ（Analog/Digital）コンバータ３１３、ｎＰＳＫ復調回路３１４、ＴＭＣＣデコーダ３１５、スクランブル解除部３１６、ＴＳデータ分離部３１７、ＭＰＥＧ２ビデオデコーダ３１８、ＭＰＥＧ２オーディオデコーダ３１９、ビデオメモリ３２０、画面処理回路３２１、Ｄ／Ａ（Digital/Analog）コンバータ３２２等の各部を備えて構成される。
【００３３】
ＣＰＵ３０１は、メモリ３０２に格納されたシステムプログラムを読み込んで実行することにより、チューナーボックス３の各部を制御して、ＢＳアンテナ２から入力された放送信号をもとに、映像信号及び音声信号を生成してテレビ受像機４へ出力させる。
【００３４】
具体的には、ＣＰＵ３０１は、入力部３０４から入力される指示によってＢＳデジタル放送の所定のチャンネルが指定された場合には、ＰＬＬ回路３１１へ制御信号を出力して、指定されたチャンネルの放送電波に同調する周波数を設定させる。これにより、フィルタ３０７〜Ｄ／Ａコンバータ３２２の各部によって、指定されたチャンネルで放送中の映像信号及び音声信号が得られる。
【００３５】
また、ＣＰＵ３０１は、後述する放送状態ＴＭＣＣデコーダ３１５から、ＴＭＣＣ信号により指定された復調方式に変更が有ったか否かを判別する。変調方式に変更があった場合には、ＣＰＵ３０１は、ｎＰＳＫ復調回路３１４へ制御信号を出力して変調方式を切り換えさせるとともに、その旨の案内表示をディスプレイ４１に表示させるための表示情報を生成して画面処理回路３２１へ出力し、テレビ受像機４へ、案内表示を含む映像信号を出力させる。
【００３６】
ＢＳデジタル放送では、ＢＰＳＫ（Binary Phase Shift Keying ）、ＱＰＳＫ（Quadrature Phase Shift Keying ）、ＴＣ８ＰＳＫ（Trellis coded 8 Phase Shift Keying：トレリス符号化８ＰＳＫ）の３種類の変調方式が採用される。
これらの変調方式のうち、ＴＣ８ＰＳＫ方式によれば、最も良好な画質で放送を行うことができ、以下、ＱＰＳＫ、ＢＰＳＫの順に画質が低下する。しかしながら、ＴＣ８ＰＳＫ方式は比較的ノイズに弱く、天候等の条件が好適でなければ使用しにくい。その一方で、ＢＰＳＫ方式は、ノイズが多い悪条件下でも利用できるという利点を有している。
【００３７】
このように、地上の放送局から放送衛星まで放送信号を送信する際の条件が、良好か否かによって、地上の放送局では、上記３種類の変調方式を切り換えて使用する。従って、チューナーボックス３は、上記３種類の変調方式に適合する復調方式を使用可能なものとする必要があり、また、これら３種類の復調方式を切り換える必要がある。
【００３８】
このため、ＣＰＵ３０１は、後述するｎＰＳＫ復調回路３１４によって放送信号の中から変調方式を示すＴＭＣＣを抽出させ、ＴＭＣＣデコーダ３１５でＴＭＣＣをデコードさせることによって現在の変調方式を特定し、ｎＰＳＫ復調回路３１４へ制御信号を出力して、現在の変調方式に対応する復調方式への切り換えを行わせる。
【００３９】
また、ＣＰＵ３０１は、Ｉ／Ｏ部３０３に接続された外部の機器からの入力信号に従って各種処理を行うとともに、入力部３０４からの入力によって所定の通信先へデータを送信する場合には、モデム３０５を駆動制御して、通信回線を介して所定の通信先への通信を実行する。
【００４０】
メモリ３０２は、ＣＰＵ３０１により実行される各種プログラムや、これらプログラムに係るデータを格納する。
【００４１】
Ｉ／Ｏ部３０３は、チューナーボックス３に対して、映像機器等の各種外部の電子機器を接続するためのコネクタ等を備えている。
【００４２】
入力部３０４は、電源スイッチ等の各種スイッチを備えており、ユーザの操作に応じて、操作内容を示す操作信号を生成して、ＣＰＵ３０１へ出力する。なお、入力部３０４は、図示しないリモコン装置との間で赤外線通信を行うためのＩＲ装置を備える構成としても良い。
【００４３】
モデム３０５は、例えば公衆電話回線網を介してデータ通信を行うための装置であって、図２に示すように、通信回線に接続されている。
【００４４】
続いて、上記制御系に接続される各部について説明する。
【００４５】
フィルタ３０７は、所定の周波数帯の信号のみを通過させるフィルタである。また、増幅回路３０８は、フィルタ３０７を通過した信号を増幅するアンプであり、特定の周波数帯域の信号を特に増幅するものであっても良い。
【００４６】
発振器３１０は、ＰＬＬ回路３１１の制御に従って所定の周波数の発振信号を生成し、混合回路３０９へ出力する。
ＰＬＬ回路３１１は、バス３０６に接続されており、ＣＰＵ３０１の制御に従って、発振器３１０により出力される発振信号の発振周波数を調整する。
混合回路３０９は、発振器３１０から入力される発振信号をもとに、増幅回路３０８から入力された信号の周波数を中間周波信号に変換して、ＩＱ復調回路３１２へ出力する。
【００４７】
従って、フィルタ３０７、増幅回路３０８、混合回路３０９、発振器３１０及びＰＬＬ回路３１１により、ＢＳアンテナ２で受信された放送信号の中から所定のチャンネルの放送信号が抽出され、中間周波信号として出力される。
【００４８】
ＩＱ復調回路３１２では、混合回路３０９から入力された信号を復調し、Ｉ（In-phase）信号とＱ（Quadrature-phase）信号とを生成して、Ａ／Ｄコンバータ３１３へ出力する。
【００４９】
Ａ／Ｄコンバータ３１３は、ＩＱ復調回路３１２から入力されたＩ信号及びＱ信号をサンプリングしてデジタル信号に変換し、ｎＰＳＫ復調回路３１４へ出力する。
【００５０】
ｎＰＳＫ復調回路３１４では、Ａ／Ｄコンバータ３１３から入力されたＩ信号及びＱ信号の中から、変調方式を示すＴＭＣＣを抽出してＴＭＣＣデコーダ３１５へ出力する。
そして、ｎＰＳＫ復調回路３１４は、ＣＰＵ３０１から入力される制御信号に従って、復調方式を適宜切り換えながら、上記Ｉ信号及びＱ信号を変調して、スクランブル解除部３１６へ出力する。
【００５１】
ＴＭＣＣデコーダ３１５は、ｎＰＳＫ復調回路３１４から入力されるＴＭＣＣをデコードして、ＣＰＵ３０１へ出力する。
【００５２】
スクランブル解除部３１６では、ｎＰＳＫ復調回路３１４により復調された信号にスクランブル処理が施されている場合に、このスクランブル処理を解除して、ＴＳデータ分離部３１７へ出力する。
【００５３】
ＴＳデータ分離部３１７は、スクランブル解除部３１６によってスクランブルが解除された信号から、映像に関する信号を抽出してＭＰＥＧ２ビデオデコーダ３１８へ出力するとともに、音声に関する信号を抽出して、ＭＰＥＧ２オーディオデコーダ３１９へ出力する。
【００５４】
ＭＰＥＧ２ビデオデコーダ３１８は、ビデオメモリ３２０に設けられたワークエリアを利用して、ＴＳデータ分離部３１７から入力される信号をＭＰＥＧ２方式に従ってデコードすることによって映像データを生成し、テレビ受像機４に適合する映像信号に変換して、画面処理回路３２１へ出力する。
【００５５】
画面処理回路３２１では、ＭＰＥＧ２ビデオデコーダ３１８から入力された映像信号と、ＣＰＵ３０１から入力される表示情報とを合成して、テレビ受像機４へ出力する。
【００５６】
また、ＭＰＥＧ２オーディオデコーダ３１９は、ＴＳデータ分離部３１７から入力される信号をＭＰＥＧ２方式に従ってデコードすることによって音声データを生成し、Ｄ／Ａコンバータ３２２へ出力する。
【００５７】
Ｄ／Ａコンバータ３２２では、ＭＰＥＧ２オーディオデコーダ３１９から入力された音声データをアナログ信号に変換することにより音声信号を生成し、テレビ受像機４へ出力する。
【００５８】
続いて、テレビ受像機４の構成について説明する。
テレビ受像機４は、制御装置４０１、表示制御部４０２、音声制御部４０３、地上波チューナー４０４、及び、ディスプレイ４１，スピーカー４２によって構成され、地上波チューナー４０４は地上波放送用アンテナ２ａに接続されている。
【００５９】
地上波放送用アンテナ２ａは、地上波によるアナログ放送信号を受信するためのアンテナである。また、地上波チューナー４０４は、地上波放送用アンテナ２ａにより受信された放送信号の中から、制御装置４０１により指定されたチャンネルの放送信号に含まれる映像信号及び音声信号を抽出して、制御装置４０１へ出力する。
【００６０】
制御装置４０１は、テレビ受像機４によってＢＳデジタル放送の映像及び音声を出力する場合は、チューナーボックス３の画面処理回路３２１から入力される映像信号を表示制御部４０２へ出力するとともに、Ｄ／Ａコンバータ３２２から入力される音声信号を音声制御部４０３へ出力する。また、制御装置４０１は、地上波放送の映像及び音声を出力する場合には、地上波チューナー４０４から入力される映像信号及び音声信号を、表示制御部４０２及び音声制御部４０３へ出力する。
【００６１】
表示制御部４０２は、制御装置４０１から入力される映像信号をもとにディスプレイ４１を駆動制御して、ディスプレイ４１に、放送された映像を出力させる。また、音声制御部４０３は、制御装置４０１から入力される音声信号をもとにスピーカー４２を駆動制御して、スピーカー４２から、放送された音声を出力させる。
【００６２】
即ち、チューナーボックス３においては、ＢＳアンテナ２から入力された放送信号のうち、所定の周波数帯域の信号のみがフィルタ３０７を通過して増幅回路３０８によって増幅される。
その後、混合回路３０９、発振器３１０及びＰＬＬ回路３１１により、ＣＰＵ３０１により指定されたチャンネルの放送信号のみが抽出・増幅され、中間周波信号として、ＩＱ復調回路３１２へ入力される。
【００６３】
ＩＱ復調回路３１２に入力された信号はＩ信号とＱ信号とに分離され、Ａ／Ｄコンバータ３１３によってデジタルデータに変換される。その後、ｎＰＳＫ復調回路３１４によってＴＭＣＣが抽出され、ＴＭＣＣデコーダ３１５によってデコードされた後にＣＰＵ３０１へ出力される。
【００６４】
ＣＰＵ３０１によって、ＴＭＣＣデコーダ３１５からのＴＭＣＣをもとに復調方式が決定されると、この復調方式に従ってｎＰＳＫ復調回路３１４による復調が行われ、復調された信号はスクランブル解除部３１６へ入力される。
スクランブル解除部３１６では、信号に施されたスクランブルが解除され、ＴＳデータ分離部３１７において、映像に関する信号はＭＰＥＧ２ビデオデコーダ３１８へ出力され、音声に関する信号はＭＰＥＧ２オーディオデコーダ３１９へ出力される。
【００６５】
ＭＰＥＧ２ビデオデコーダ３１８によって、ＴＳデータ分離部３１７から入力された信号はＭＰＥＧ２方式に従ってデコードされて映像データが生成され、テレビ受像機４に適合する映像信号として画面処理回路３２１へ出力される。そして、画面処理回路３２１では、ＭＰＥＧ２ビデオデコーダ３１８から入力された映像信号と、ＣＰＵ３０１から入力される表示情報とが合成され、テレビ受像機４へ出力される。
【００６６】
また、ＭＰＥＧ２オーディオデコーダ３１９では、ＴＳデータ分離部３１７から入力された信号がＭＰＥＧ２方式に従ってデコードされて音声データが生成され、Ｄ／Ａコンバータ３２２へ出力される。そして、Ｄ／Ａコンバータ３２２では、ＭＰＥＧ２オーディオデコーダ３１９から入力された音声データがアナログ信号に変換されて音声信号が生成され、テレビ受像機４へ出力される。
【００６７】
従って、ＢＳアンテナ２によって受信されたデジタル放送の映像及び音声が、テレビ受像機４によって出力される。
【００６８】
次に、上記のように構成される衛星放送受信システム１における放送状態表示処理について、図３を参照して説明する。
まず、ＣＰＵ３０１は、ＴＭＣＣデコーダ３１５によってデコードされたＴＭＣＣが入力されると（ステップＳ１）、このＴＭＣＣに、変調方式の変更を指示する情報が含まれるかどうかを確認する（ステップＳ２）。
【００６９】
そして、ＴＭＣＣに変調方式の変更を指示する情報が含まれていない場合は（ステップＳ３；Ｎｏ）、ＣＰＵ３０１はステップＳ１に戻る。また、ＴＭＣＣに変調方式の変更を指示する情報が含まれている場合は（ステップＳ３；Ｙｅｓ）、ＣＰＵ３０１は、ＴＭＣＣ内の変調方式に関する情報を確認する（ステップＳ４）。
【００７０】
ここで、ＴＭＣＣ内の情報により指定された変調方式が変更されていない場合は（ステップＳ５；Ｎｏ）、ステップＳ１に戻る。
また、ＴＭＣＣ内の変調方式に関する情報により、変調方式が切り換えられたことが確認された場合は（ステップＳ５；Ｙｅｓ）、変調方式の切り換えを示す情報をディスプレイ４１に表示させるための表示情報を生成して画面処理回路３２１へ出力し（ステップＳ６）、その後、ステップＳ１に戻る。
【００７１】
ここで、ディスプレイ４１における案内表示の例を、図４に示す。
図４は、ディスプレイ４１上に表示される画面の例を示す図であり、（ａ）は放送画面４１ａを示し、（ｂ）は放送画面４１ｂを示す図である。
同図（ａ）に示す放送画面４１ａには、レベル案内表示Ａが表示されている。レベル案内表示Ａは、放送電波の変調方式を、「受信状態」と表現し、ユーザが理解しやすい「レベル」として表現している。
【００７２】
例えば、変調方式がＴＣ８ＰＳＫからＱＰＳＫに切り換えられた場合は、地上の放送局と衛星との間における条件が悪く、高画質の放送ができないことになる。従って、変調方式の切り換えは、ユーザに対しては画質の変化として感じられるので、「受信状態」の「レベル」を案内することにより、ユーザの不安を解消し、利便性を高めることができる。
【００７３】
一方、図４（ｂ）に示す放送画面４１ｂでは、レベル案内表示Ｂが表示されている。レベル案内表示Ｂは、変調方式の切換を受信状態の低下と表現している。このレベル案内表示Ｂは、変調方式の切り換えによって画質が低下した場合の例であり、変調方式の切り換えに伴って、ディスプレイ４１上の映像の画質が向上した場合は、異なる表現とすればよい。
【００７４】
また、図４（ａ）に示すレベル案内表示Ａは、常時ディスプレイ４１に表示され、変調方式の切り換えに応じて、レベルの表現が切り換えられるように使用できる。一方、図４（ｂ）に示すレベル案内表示Ｂは、変調方式の切り換えの際に、所定時間だけディスプレイ４１に表示される場合に適している。
【００７５】
従って、衛星放送受信システム１においては、ＢＳアンテナ２によって受信した放送電波の変調方式が切り換えられた場合には、ディスプレイ４１上に、画質の変化に対応した受信状態のレベルに関する案内表示が行われる。このため、変調方式の切り換えに伴ってディスプレイ４１上の映像の画質が変化しても、ユーザに、衛星放送受信システム１の故障を疑わせたり、或いは、不信感や不快感を抱かせることが無い。これにより、快適に使用できる衛星放送受信システム１を提供できる。
【００７６】
なお、以上の第１の実施の形態においては、パラボラアンテナのＢＳアンテナ２を利用する構成としたが、本発明はこれに限定されるものではなく、例えば、集合住宅等において大型のアンテナから分岐したケーブルによって放送信号がチューナーボックス３へ入力される構成としてもよいし、或いは、ケーブルテレビ等のケーブルを介して、チューナーボックス３へ放送信号が入力されるようにしても良い。
【００７７】
さらに、上記第１の実施の形態においては、レベル案内表示Ａ及びレベル案内表示Ｂをディスプレイ４１上に表示する構成としたが、本発明はこれに限定されるものではなく、例えば、チューナーボックス３の外装ケースに複数のＬＥＤを配設し、これら複数のＬＥＤの点灯状態を切り換えることによって、ＢＳアンテナ２によって受信した放送電波の変調方式の切換を報知する構成としても良い。
【００７８】
また、衛星放送受信システム１はＢＳデジタル放送に限らず、地上波によるデジタル放送を受信するシステムとしても良く、その他、ディスプレイ４１のサイズ等、具体的な細部構成についても適宜に変更可能であることは勿論である。
【００７９】
〔第２の実施の形態〕
続いて、本発明の第２の実施の形態におけるチューナー内蔵テレビ受像機５について説明する。
チューナー内蔵テレビ受像機５は、ディスプレイ５０８及びスピーカー５１０を備えるテレビ受像機に、上記第１の実施の形態におけるチューナーボックス３を内蔵したものである。従って、上記第１の実施の形態と同様の構成によってなる部分については、同符号を付して説明を省略する。
【００８０】
また、表示制御部５０１は、画面処理回路３２１から入力される映像信号をもとにディスプレイ５０２を駆動制御して、ディスプレイ５０２の画面上に、ＢＳデジタル放送の映像を表示させる。
音声制御部５０３は、Ｄ／Ａコンバータ３２２から入力される音声信号をもとにスピーカー５０４を駆動制御して、スピーカー５０４から、ＢＳデジタル放送の音声を出力させる。
【００８１】
そして、ＣＰＵ３０１は、図３に示す放送状態表示処理を実行するものである。従って、図５に示すチューナー内蔵テレビ受像機５によれば、ＢＳアンテナ２によって受信した放送電波の変調方式が切り換えられた場合には、ディスプレイ５０２上に、画質の変化に対応した受信状態のレベルに関する案内表示が行われる。このため、変調方式の切り換えに伴ってディスプレイ５０２上の映像の画質が変化しても、ユーザに、チューナー内蔵テレビ受像機５の故障を疑わせたり、或いは、不信感や不快感を抱かせることが無く、快適に使用できるチューナー内蔵テレビ受像機５を提供できる。
【００８２】
さらに、チューナー内蔵テレビ受像機５内に、ＣＰＵ３０１〜Ｄ／Ａコンバータ３２２の各部を内蔵する構成としたので、設置に要するスペースが小さく、利便性の向上を図ることができる。
【００８３】
【発明の効果】
請求項１記載の発明によれば、デジタル放送を受信している間に変調方式が変化して、表示画面に表示される映像の画質が変化すると、画質の変化に対応した受信状態のレベルに関する案内表示のための信号が出力手段によってテレビ受像機等の外部装置に出力されるので、ユーザに、機器の故障を疑わせることがなく、不安や不快を感じさせない。これにより、長時間の使用時であっても、快適性を保つデジタル放送受信装置を提供できる。
【００８４】
請求項２記載の発明によれば、ＢＳデジタル放送における放送信号を受信するデジタル放送受信装置であるので、ＢＰＳＫ、ＱＰＳＫ、ＴＣ８ＰＳＫの３通りの変調方式の切り換えを検知して、画質の変化に対応した受信状態のレベルに関する案内をユーザに通知する。これにより、画質の変化が起こっても、ユーザに機器の故障を疑わせることがなく、不安や不快を感じさせないので、長時間の視聴時であっても快適性を保つことができる。
【００８５】
請求項３記載の発明によれば、例えば、ＢＳデジタル放送におけるＴＭＣＣのように、変調方式の変化に伴って復調方式を変化させるための情報をもとに、変調方式の変化を検知するので、通常のデジタル放送受信装置に比べて特別な処理等を行う必要がなく、低コストで実現可能である。
【００８６】
請求項４記載の発明によれば、変調方式の変化によって画質が変化した場合に、画質の変化に対応した受信状態のレベルに関する案内が速やかにユーザに通知されるので、容易に、かつ確実に、ユーザの不安や不快感を防止できる。
【００８７】
請求項５記載の発明によれば、デジタル放送の映像を表示している間に変調方式が変化して、映像の画質が変化すると、画質の変化に対応した受信状態のレベルに関する案内表示がされるので、ユーザに機器の故障を疑わせることがなく、不安や不快を感じさせない。これにより、使用時の快適性を保つテレビ受像機を提供できる。
【図面の簡単な説明】
【図１】本発明の第１の実施の形態における衛星放送受信システム１の構成を示す図である。
【図２】図１の衛星放送受信システム１の内部構成を示すブロック図である。
【図３】図１の衛星放送受信システム１における放送状態表示処理を示すフローチャートである。
【図４】図１のディスプレイ４１上に表示される画面の例を示す図であり、（ａ）は放送画面４１ａを示し、（ｂ）は放送画面４１ｂを示す図である。
【図５】本発明の第２の実施の形態におけるチューナー内蔵テレビ受像機５の構成を示す図である。
【符号の説明】
１  衛星放送受信システム
２  ＢＳアンテナ
２ａ  地上波放送用アンテナ
３  チューナーボックス
３０１  ＣＰＵ
３０２  メモリ
３０３  Ｉ／Ｏ部
３０４  入力部
３０５  モデム
３０６  バス
３０７  信号処理部
３０８  乗算器
３０９  発振器
３１０  ＦＬＬ検波回路
３１１  ＩＱ分離回路
３１２  Ａ／Ｄコンバータ
３１３  ｎＰＳＫ復調回路
３１４  ＴＭＣＣデコーダ
３１５  スクランブル解除部
３１６  ＴＳデータ分離部
３１７  ＭＰＥＧ２ビデオデコーダ
３１８  ＭＰＥＧ２オーディオデコーダ
３１９  ビデオメモリ
３２０  画面処理回路
３２１  Ｄ／Ａコンバータ
４  テレビ受像機
４１  ディスプレイ
４２  スピーカー
４０１  制御装置
４０２  表示制御部
４０３  音声制御部
４０４  地上波チューナー
５  チューナー内蔵テレビ受像機
５０１  表示制御部
５０２  ディスプレイ
５０３  音声制御部
５０４  スピーカー
【図１】
0003883789.tif 000002
【図２】
0003883789.tif 000003
【図３】
0003883789.tif 000004
【図４】
0003883789.tif 000005
【図５】
0003883789.tif 000006